(57)【要約】【課題】  自動販売機の扉体の開扉を防止するための自動販売機の補助錠止装置を得る。【解決手段】  錠止部材５を本体部材４に上方から押し込み又は落とし込むと、錠止部材５の押し込み力又は自重により、錠止部材５の鉤爪２２は、本体部材４のフック部材１５をスプリング１６の付勢力に抗して反付勢方向に押し戻して通過する。更に、錠止部材５が押し込まれ鉤爪２２が通過し終ると、フック部材１５は復元し鉤部１４は鉤爪２２に対し錠止する。  この状態では、フック部材１５の鉤部１４は鉤爪２２と完全に係合し、フック部材１５はスプリング１６により付勢されているために、錠止部材５を上方に引き上げようとしても、鉤爪２２はフック部材１５により係止され、抜き取ることはできない。解錠時にはキーをキー操作部に挿入し、フック部材１５を回動して鉤爪２２に対する錠止を解除する。【選択図】図８
2008117022.tif 000002
【特許請求の範囲】
【請求項１】
自動販売機の前面に配置する自動販売機の補助錠止装置であって、自動販売機の底部に固定する本体部材と、該本体部材に対し挿脱自在とし挿着時に自動販売機の開扉を防止する錠止部材とから成り、前記本体部材はキー機構を内蔵し、該キー機構はキー操作部と回動可能のフック部材とを有し、該フック部材を係止方向に弾性部材により付勢し、前記錠止部材は先端に前記フック部材と係合する鉤爪を有し、前記錠止部材の挿入に従って前記鉤爪により前記フック部材を反付勢方向に押し戻すように回動し、前記鉤爪の通過後に前記フック部材は付勢方向に復元して前記鉤爪と係合し、前記本体部材の外部から前記キー操作部にキーを挿し込み解錠して回動することにより前記フック部材を前記反付勢方向に回動し、前記鉤爪への係止を解除することを特徴とする自動販売機の補助錠止装置。
【請求項２】
前記キー操作部は所定のキーにより解錠可能としたことを特徴とする請求項１に記載の自動販売機の補助錠止装置。
【請求項３】
前記錠止部材を前記本体部材に挿着した状態で、前記錠止部材の一部が前記本体部材内を閉止することを特徴とする請求項１に記載の自動販売機の補助錠止装置。
【発明の詳細な説明】
【技術分野】
【０００１】
本発明は、自動販売機に取り付けて使用し、扉体の不法な開放を防止する自動販売機の補助錠止装置に関するものである。
【背景技術】
【０００２】
自動販売機の内部には、商品や売上金、釣銭が内蔵されており、防犯のために扉体は施錠して開かないようにしているのが通常である。
【０００３】
しかし、それでも扉体の施錠を破り、扉体が不法に開けられることもあるので、扉体を自販機本体に対し施錠するだけではなく、更に扉体に補助的に堅固な錠止装置を設けることが、例えば特許文献１、２等に開示されている。
【０００４】
【特許文献１】特開平６−１６８３７３号公報
【特許文献２】特開平１１−９３４１号公報
【発明の開示】
【発明が解決しようとする課題】
【０００５】
しかし、これらの特許文献１、２等による従来技術は、それなりに不法者による開扉を妨げる効果はあるが、設置が大掛かりとなったり、機構が複雑化している。
【０００６】
本発明の目的は、上述の課題を解決し、簡便な構造で堅固な自動販売機の補助錠止装置を提供することにある。
【課題を解決するための手段】
【０００７】
上述の目的を達成するための本発明に係る自動販売機の補助錠止装置の技術的特徴は、自動販売機の前面に配置する自動販売機の補助錠止装置であって、自動販売機の底部に固定する本体部材と、該本体部材に対し挿脱自在とし挿着時に自動販売機の開扉を防止する錠止部材とから成り、前記本体部材はキー機構を内蔵し、該キー機構はキー操作部と回動可能のフック部材とを有し、該フック部材を係止方向に弾性部材により付勢し、前記錠止部材は先端に前記フック部材と係合する鉤爪を有し、前記錠止部材の挿入に従って前記鉤爪により前記フック部材を反付勢方向に押し戻すように回動し、前記鉤爪の通過後に前記フック部材は付勢方向に復元して前記鉤爪と係合し、前記本体部材の外部から前記キー操作部にキーを挿し込み解錠して回動することにより前記フック部材を前記反付勢方向に回動し、前記鉤爪への係止を解除することにある。
【発明の効果】
【０００８】
本発明に係る自動販売機の補助錠止装置によれば、扉体の不法な開放を簡便に防止できる。
【発明を実施するための最良の形態】
【０００９】
本発明を図示の実施例に基づいて詳細に説明する。
図１は自動販売機に補助錠止装置を取り付けた状態の斜視図である。自動販売機１の扉体２自体は自動販売機本体に対し施錠されており、更に扉体２の前方下方に補助錠止装置３が固定されている。補助錠止装置３は本体部材４と錠止部材５から成り、錠止部材５により扉体２の施錠を外しても扉体２の開扉が防止されている。
【００１０】
必要に応じて、本体部材４のキー操作部に所定のキーを挿入して、図２に示すように錠止部材５を本体部材４から抜き取れば、扉体２自体の施錠を解錠して、扉体２を開くことができるようになっている。
【００１１】
図３は本体部材４の側方から見た断面図、図４は平面図、図５は正面から見た断面図である。本体部材４は略長方体の上方を開口した金属製の筐体とされている。そして、本体部材４の側方にはベース部材６がボルト７により固定され、このベース部材６はボルト８により自動販売機本体の底部に固定されるようになっている。
【００１２】
本体部材４内にはキー機構１１が内蔵されており、キー機構１１はキー操作部１２と、回動軸１３に固定され、回動軸１３と直交する略水平方向に鉤部１４を向けた幅広のフック部材１５が設けられている。フック部材１５は回動軸１３により回動可能とされ、図３の矢印方向にスプリング１６により常時付勢されている。また、本体部材４の側方に鍵孔を有するキー操作部１２に対し、キー操作によりフック部材１５は反付勢方向に回動可能とされている。
【００１３】
一方、図６は錠止部材５の正面図、図７は側方から見た断面図である。この錠止部材５は金属製で堅固に造られており、上部は正面に向けて枠端部を有し、背面は壁部とされている。この壁部の一部に凹部から成り、指を挿入して持つことができる把持部２１が設けられ、下部は本体部材４内に入り込む下方を開口した四角枠とされている。この錠止部材５の下部は本体部材４の内面に沿って挿入するようにされ、四角枠内の壁部側に本体部材４のフック部材１５と係合する鉤爪２２が設けられ、鉤爪２２の返し部２３は前方を向いている。また錠止部材５の中間部には、本体部材４に挿着した場合に、本体部材４内を閉止する仕切部２４が設けられている。
【００１４】
使用に際して、錠止部材５を本体部材４に上方から押し込み又は落とし込むと、錠止部材５の押し込み力又は自重により、図８に示すように錠止部材５の鉤爪２２は、本体部材４のフック部材１５をスプリング１６の付勢力に抗して、矢印に示すように反付勢方向に押し戻しながら通過する。更に、錠止部材５が押し込まれ鉤爪２２が通過し終ると、フック部材１５は図９に示すような位置に復元し、フック部材１５の鉤部１４は鉤爪２２に対し錠止を行う。
【００１５】
この錠止状態では、フック部材１５の鉤部１４は鉤爪２２と係合し、フック部材１５はスプリング１６により付勢され、錠止部材５は自重により押し下げられており、鉤爪２２と鉤部１４の間には若干の隙間が生じている。従って、把持部２１を持ち、錠止部材５を上方に引き上げようとしても、鉤爪２２の返し部２３が鉤部１４の根元に喰い込むだけで、錠止部材５を抜き取ることはできない。
【００１６】
また、このとき本体部材４の上方の開口は、錠止部材５の仕切部２４によって閉止されるので、ドライバ等を挿入してキー機構１１に対する不法な操作を行うことはできない。
【００１７】
商品の補充や売上金の回収のために、自動販売機１の扉体２を時々開ける必要があり、錠止部材５を本体部材４から抜き取るためには、所定のキーをキー操作部１２のキー挿入口に挿し込み、キーを回動する。これにより、キー機構１１を解錠し、キーの操作力によりスプリング１６の付勢力に抗して回転軸１３を回動し、フック部材１５を反付勢方向に動かす。このとき、フック部材１５の鉤部１４と錠止部材の鉤爪２２の間には若干の隙間があるために、フック部材１５の回動は比較的容易である。フック部材１５を回動することにより、鉤爪２２に対する係止は解除され、錠止部材５を上方に引き上げることができる。
【００１８】
錠止部材５の引き上げ後は、フック部材１５はスプリング１６により元の位置に戻り、再び錠止部材５を受け入れる状態となる。
【図面の簡単な説明】
【００１９】
【図１】自動販売機に取り付けた状態の斜視図である。
【図２】錠止部材を外した状態の斜視図である。
【図３】本体部材の側方から見た断面図である。
【図４】本体部材の平面図である。
【図５】本体部材の正面から見た断面図である。
【図６】錠止部材の正面図である。
【図７】錠止部材の側方から見た断面図である。
【図８】本体部材に錠止部材の挿入を始めた状態の説明図である。
【図９】本体部材に錠止部材を挿入した状態の説明図である。
【符号の説明】
【００２０】
１  自動販売機
２  扉体
３  補助錠止装置
４  本体部材
５  錠止部材
１１  キー機構
１２  キー操作部
１３  回転軸
１４  鉤部
１５  フック部材
１６  スプリング
２１  把持部
２２  鉤爪
２４  仕切部
【図１】
2008117022.tif 000003
【図２】
2008117022.tif 000004
【図３】
2008117022.tif 000005
【図４】
2008117022.tif 000006
【図５】
2008117022.tif 000007
【図６】
2008117022.tif 000008
【図７】
2008117022.tif 000009
【図８】
2008117022.tif 000010
【図９】
2008117022.tif 000011